(57)【要約】【課題】ネットワークを経由して映像信号等を再生する際に、開始時に再生が途切れることなく円滑な映像再生を可能とする無線通信装置及び無線通信方法を提供する。【解決手段】  無線ネットワーク上の機器ＡＰ１と通信を行う通信部２１と、通信部を介して無線ネットワーク上の機器から映像信号を受ける第１バッファ１２及び第２バッファ１３と、第１及び第２バッファから映像信号を受け再生情報に変換する変換部１５，２６，２７と、通信部から受けた映像信号を、初めに第２バッファに格納し、第２バッファの記憶領域が一杯になった後は、第１バッファに格納し、第１バッファが一杯になった後は、第１バッファに映像信号を格納しながら第２バッファに格納された映像信号を変換部に順次供給し、第２バッファの記録領域が空になった後は、第１バッファに格納された映像信号を変換部に順次供給するべく映像信号を制御する制御部１０とをもつ無線通信装置。【選択図】図１
2006014177.tif 000002
【特許請求の範囲】
【請求項１】
無線信号を送受信することで無線ネットワーク上の機器と通信を行う通信部と、
前記通信部を介し前記無線ネットワーク上の機器から映像信号を受ける第１バッファと、
前記通信部を介し前記無線ネットワーク上の機器から映像信号を受ける第２バッファと、
前記第１及び第２バッファからの前記映像信号を再生情報に変換して出力する変換部と、
前記通信部から受けた前記映像信号を、初めに前記第２バッファに格納し、前記第２バッファの記憶領域が一杯になった後は、前記第１バッファに格納し、前記第１バッファが一杯になった後は、前記第１バッファに前記映像信号を格納しながら前記第２バッファに格納された前記映像信号を前記変換部に順次供給し、前記第２バッファの記録領域が空になった後は、前記第１バッファに格納された前記映像信号を前記変換部に順次供給するべく前記映像信号の供給を制御する制御部と、
を具備することを特徴とする無線通信装置。
【請求項２】
前記制御部により制御され、前記通信部と前記第１バッファと前記第２バッファとの接続を制御するスイッチ部を更に有することを特徴とする請求項１記載の無線通信装置。
【請求項３】
前記制御部は、前記映像信号の再生開始時以降は、前記第２バッファを受信バッファ以外の目的で使用するべく制御することを特徴とする請求項１記載の無線通信装置。
【請求項４】
前記変換部は、ＭＰＥＧデコーダとオーディオデジタルアナログコンバータとＮＴＳＣエンコーダとの内の一つを少なくとも含んでいることを特徴とする請求項１記載の無線通信装置。
【請求項５】
前記第１バッファの記憶容量と前記第２バッファとの記憶容量とは略等しいことを特徴とする請求項１記載の無線通信装置。
【請求項６】
前記第１バッファの記憶容量は、前記第２バッファの記憶容量の略２倍であることを特徴とする請求項１記載の無線通信装置。
【請求項７】
前記制御部は、前記無線ネットワーク上の機器に、初めに、前記第２バッファの記憶容量分の前記映像信号のみを送信することを要求する信号を前記通信部を介して送信することを特徴とする請求項１記載の無線通信装置。
【請求項８】
前記制御部に制御されることで、前記通信部から受けた前記映像信号を、ＩＥＥＥ１３９４のプロトコルに準拠したネットワーク上の外部装置に供給することができるＩＥＥＥ１３９４インターフェース部を更に有することを特徴とする請求項１記載の無線通信装置。
【請求項９】
前記制御部に制御されることで、前記通信部から受けた前記映像信号を、イーサネット（登録商標）のプロトコルに準拠したネットワーク上の外部装置に供給することができるイーサネット（登録商標）インターフェース部を更に有することを特徴とする請求項１記載の無線通信装置。
【請求項１０】
無線信号を送受信することで無線ネットワーク上の機器と通信を行う通信部と、前記通信部を介して前記無線ネットワーク上の機器から映像信号を受ける第１バッファと、前記通信部を介して前記無線ネットワーク上の機器から映像信号を受ける第２バッファと、前記第１及び第２バッファから前記映像信号を受け、再生情報に変換して出力する変換部とを有する無線通信装置において、
前記通信部から受けた前記映像信号を、初めに前記第２バッファに格納し、前記第２バッファの記憶領域が一杯になった後は、前記第１バッファに格納し、前記第１バッファが一杯になった後は、前記第１バッファに前記映像信号を格納しながら前記第２バッファに格納された前記映像信号を前記変換部に順次供給し、前記第２バッファの記録領域が空になった後は、前記第１バッファに格納された前記映像信号を前記変換部に順次供給するべく前記映像信号の供給を制御することを特徴とする無線通信方法。
【発明の詳細な説明】
【技術分野】
【０００１】
この発明は、無線ＬＡＮ（Local Area Network）等の無線通信装置に関し、特に、比較的大容量のオーディオビデオコンテンツ等を高速に転送する無線通信装置及び無線通信方法に関する。
【背景技術】
【０００２】
最近、デジタル機器の普及に伴い、例えば、無線ＬＡＮ等のデジタル信号の通信装置が広く用いられてきている。このような無線通信装置においては、コンピュータネットワークに限らず、例えば、家庭内でハードディスクレコーダとデジタルテレビ等の間を仲介してデジタルビデオコンテンツを送受信する無線通信装置も考えられる。
【０００３】
このような無線通信装置においては、ネットワーク受信バッファがフルの状態になってから再生を開始するのが通常である。しかし、映像信号の再生開始時は、ＭＰＥＧデコーダのバッファが空であるため、受信バッファより一気にデータを吸い込んで処理してしまうため、アンダーフローを起こす場合がある。またこの一気にデータをＭＰＥＧデコーダへ転送するため、内部バスを一時的に占有することによりネットワークのスループットが急激に落ちることがある。そのために、再生開始時に映像が乱れるといった現象が発生する可能性がある。
【０００４】
特許文献１に示される映像受信端末装置においては、このようなアンダーフローの対策として、コンテンツファイルをダウンロードしながら再生する場合に、効率良く合理的に再生処理を進めていくべく、映像コンテンツ受信の際に前記フレーム毎のデータ長情報を用いてバッファに蓄えるデータ量のアンダーフロー制御のためのしきい値を算出する算出部を有しており、このしきい値を用いてバッファのアンダーフローを制御するものである。
【特許文献１】特開２００３−２８９５２６号公報。
【発明の開示】
【発明が解決しようとする課題】
【０００５】
しかし、この従来技術では、アンダーフローが発生する再生開始時だけでなく、常にこのしきい値によるバッファの容量でデータ転送を行うため、メモリ容量を多く必要とするという問題がある。
【０００６】
本発明は、ネットワークを経由して映像信号等を再生する際に、開始時に再生が途切れることなく円滑な映像再生を可能とする無線通信装置及び無線通信方法を提供することを目的とする。
【課題を解決するための手段】
【０００７】
本発明の一実施の形態は、無線信号を送受信することで無線ネットワーク上の機器と通信を行う通信部と、前記通信部を介して前記無線ネットワーク上の機器から映像信号を受ける第１バッファと、前記通信部を介して前記無線ネットワーク上の機器から映像信号を受ける第２バッファと、前記第１及び第２バッファから前記映像信号を受け、再生情報に変換して出力する変換部と、前記通信部から受けた前記映像信号を、初めに前記第２バッファに格納し、前記第２バッファの記憶領域が一杯になった後は、前記第１バッファに格納し、前記第１バッファが一杯になった後は、前記第１バッファに前記映像信号を格納しながら前記第２バッファに格納された前記映像信号を前記変換部に順次供給し、前記第２バッファの記録領域が空になった後は、前記第１バッファに格納された前記映像信号を前記変換部に順次供給するべく前記映像信号の供給を制御する制御部とを具備することを特徴とする無線通信装置である。
【発明の効果】
【０００８】
上記した無線通信装置においては、従来のようにバッファに映像信号等が蓄積すると直ちに変換部（例えばＭＰＥＧ変換部）等に供給するのではなく、少なくとも、第２バッファ及び第１バッファが一杯にならないと、映像信号が変換部に供給されない。従って、従来技術において発生した不具合、すなわち、バッファが一度は一杯になったことによりスタートした映像情報の再生が、直ぐにバッファが空になるために、映像の再生がスタートした直後に、再生映像が一時的に中断するという不具合を解消することができる。このような再生のスタート時の不具合は、再生スタート時にＭＰＥＧデコーダ等が処理すべき映像信号が少ないためＭＰＥＧデコーダ処理が早く進みすぎてしまい、バッファにプールされた映像信号が一時的になくなってしまうことから発生するものである。
【０００９】
従って、本発明の一実施形態であるスタート時専用の第２バッファの利用により、このような再生スタート時のプールされた映像信号の一時的な欠乏状態を解消することができ、円滑で確実な映像信号の再生処理を行うことが可能となる。特に、ハードディスクレコーダ等から、無線ＡＶ伝送サーバ等で送信された映像信号を、例えば、無線ＡＶ伝送アダプタ等を介してデジタルテレビ等で再生する場合に、映像の再生が途切れることなく、円滑な映像信号の再生を可能とするものである。
【発明を実施するための最良の形態】
【００１０】
以下、この発明の実施の形態について図面を参照して詳細に説明する。  
本発明の一実施形態に係る無線通信装置は、複数の受信バッファを有しており、例えば、コンテンツデータを受信し再生開始時においては、二つのバッファを利用して映像信号を受信しＭＰＥＧデコーダへ供給することで円滑な再生を行い、その後は、一方のバッファのみで映像信号の受信を行い、ＭＰＥＧデコーダ等へ映像信号を供給する。これにより、バッファメモリの記憶容量を効率的に利用しながら円滑な通信処理及び再生処理を行うことができる。ここで、図１は、本発明の一実施形態に係る無線通信装置の構成の一例を示すブロック図、図２は、同じく、無線伝送処理部の構成の一例を示すブロック図、図３は、同じく無線通信装置が使用されるネットワークの一例を示すシステム図、図４は、同じく、無線通信装置の構成の他の一例を示すブロック図である。
【００１１】
＜本発明の一実施形態に係る無線通信装置の一例＞
（構成）
・無線ＡＶ伝送アダプタ（ＳＴＡ）
初めに、本発明の一実施形態に係る無線通信装置の構成の一例を以下に図面を用いて説明する。本発明の一実施形態に係る無線通信装置は、様々な形態により実現することができるが、その一例として、以下に、無線ＡＶ伝送サーバＡＰと無線ＡＶ伝送アダプタＳＴＡとによる伝送システムの一方である、無線ＡＶ伝送アダプタＳＴＡの構成として、本発明の一実施形態であるバッファ処理を以下に図面を用いて詳細に説明する。
【００１２】
ここで、本発明の一実施形態に係る無線通信装置の一例である無線ＡＶ伝送アダプタＳＴＡは、図１に示すように、全体の制御を司るＣＰＵ１０と、これにデータバスを介して接続されるＲＡＭ２２とＲＯＭ２３と、これにデータバスを介して接続される受信バッファ１１（受信バッファに内蔵される第１受信バッファ１２と第２受信バッファ１３を含む）と、第１受信バッファ１２及び第２受信バッファ１３のデータバスへの接続を制御する切換スイッチ部１４と、これに接続されるＲＡＭ１６と、データバスに接続され、通信時の各信号のタイミングを整合させるＴＴＳ処理部（タイムスタンパ）１９とを有している。又、無線ＡＶ伝送アダプタＳＴＡは、データバスに接続され、ＭＰＥＧデータへの変換等を行うＭＰＥＧデコーダ１５と、このＭＰＥＧデコータ１５に接続され、特にオーディオ信号のデジタルアナログ変換を行うオーディオＤＡコンバータ２６と、ＮＴＳＣエンコード処理を行うＮＴＳＣエンコーダ２７とを有している。
【００１３】
又、更に、無線ＡＶ伝送アダプタＳＴＡは、通信機能として、データバスに接続されてイーサネット（登録商標）プロトコルに準拠して通信を行うイーサネット（登録商標）Ｉ／Ｆ部２０と、ＩＥＥＥ１３９４プロトコルに準拠して通信を行うＩＥＥＥ１３９４Ｉ／Ｆ部１８と、ＩＥＥＥ１３９４Ｉ／Ｆ部１８に接続されるコピーライトプロテクション部１７と、更に、例えば、ＩＥＥＥ８０２．１１（このプロトコルに限らない）等の無線プロトコルに準拠して無線通信を行う無線伝送処理部２１とを有している。
【００１４】
又、この無線伝送処理部２１は、更に、図２に示すように、受信処理のための構成として、外部からアンテナを介して無線信号を受信するロウノイズアンプリファイア３１と、これに接続されるフィルタ３２と、フィルタ３２の出力を受け無線周波数発生器３３の出力を受ける加算器３４と、この出力を受けるフィルタ３５と、この出力を受けて自動的に利得を制御する自動利得制御部３６とを有している。更に、無線伝送処理部２１は、自動利得制御部３６の出力を受け、中間周波数発生器３７の出力を受ける直交検波部３８と、この出力をＡ／Ｄ変換するＡ／Ｄ変換部３９と、この出力を復調するベースバンド処理部（復調部）４０と、この出力を受けて各メディアへの通信処理を対応付けるメディアアクセスコントロール処理部４１とを有している。更に、この無線伝送処理部２１は、送信処理のための構成として、メディアアクセスコントロール処理部４１の出力を受けるベースバンド処理部（変調部）４２と、この出力を受けてＤ／Ａ変換を行うＤ／Ａコンバータ４３と、この出力及び中間周波数発生器４４の出力を受ける直交変換部４５とを有している。更に、この無線伝送処理部２１は、直交変換部４５からの出力を受けるフィルタ４６と、フィルタ４６の出力と無線周波数発生器４７の出力を加算する加算器４８と、この出力を受けるフィルタ４９と、フィルタ４９の出力を受けて無線信号を増幅するための高出力増幅器５０とを有しており、増幅された無線信号をアンテナから出力するものである。
【００１５】
・無線ＡＶ伝送サーバ（ＡＰ１）
次に、無線ＡＶ伝送アダプタＳＴＡの相手側の無線通信装置である無線ＡＶ伝送サーバＡＰの構成を図面を用いて説明する。無線ＡＶ伝送サーバＡＰ１は、少なくとも、無線ＡＶ伝送アダプタＳＴＡにコンテンツ情報（映像情報）を送信するものである。無線ＡＶ伝送アダプタＡＰは、図４に示すように、全体の制御を司るＣＰＵ１０と、これにデータバスを介して接続されるＲＡＭ２２とＲＯＭ２３と、例えば、ハードディスクレコーダ等が接続されオーディオ入力やビデオ入力、オーディオ入力を受け、テレビチューナ部２４が接続され、更に、オーディオ出力、ビデオ出力を出力する入力切替部２５と、入力切替部２５からラインインが供給されオーディオ信号のデジタルアナログ変換を行うオーディオＤＡコンバータ２６と、入力切替部２５からＮＴＳＣ、Ｓ−ビデオ、コンポジット等を供給するＮＴＳＣデコーダ２７’と、更に、これらオーディオＡＤコンバータ２６’とＮＴＳＣデコーダ２７’の出力を受け、ＭＰＥＧデータへの変換等を行うＭＰＥＧエンコーダ１５’と、これに接続されるＲＡＭ１６と、データバスに接続され、通信時の各信号のタイミングを整合させるＴ（タイムスタンパ）ＴＳ処理部１９とを有している。又、無線ＡＶ伝送アダプタＳＴＡは、データバスに接続され、イーサネット（登録商標）プロトコルに準拠して通信を行うイーサネット（登録商標）Ｉ／Ｆ部２０と、ＩＥＥＥ１３９４プロトコルに準拠して通信を行うＩＥＥＥ１３９４Ｉ／Ｆ部１８と、ＩＥＥＥ１３９４Ｉ／Ｆ部１８に接続されるコピーライトプロテクション部１７と、更に、例えば、ＩＥＥＥ８０２．１１（このプロトコルに限らない）等の無線プロトコルに準拠して無線通信を行う無線伝送処理部２１とを有している。
【００１６】
（システム構成）
このような構成をそれぞれ有する無線ＡＶ伝送サーバＡＰ１と無線ＡＶ伝送アダプタＳＴＡとは、図３に示すような通信システムを構成するものである。この通信システムは、図３に示すように、受信側（送信も可能であるが）として、無線ＡＶ伝送アダプタ（ＳＴＡ）１０１と、これに接続される、例えば、ＰＣ（Personal Computer）１０３と、デジタルテレビジョン１０４とを有している。この時の無線ＡＶ伝送アダプタ（ＳＴＡ）１０１は、ＰＣ１０３に挿入されるＩＣカード等の形態を持つものでもよいし、ＰＣ１０３やデジタルテレビジョン１０４に内蔵される通信モジュールの形態をとるものでもよい。
【００１７】
又、更に、受信側（送信も可能であるが）として、モバイル無線端末（ＳＴＡ）１０２とを含んでおり、このモバイル無線端末（ＳＴＡ）１０２は、例えば、ＰＤＡや携帯電話等の構成が含まれる。
【００１８】
更に、通信システムは、送信側（受信も可能であるが）として、無線ＡＶ伝送サーバＡＰ１と、無線ＡＶ伝送サーバ（ＡＰ２）１１０とを有している。ここで、無線ＡＶ伝送サーバＡＰ１は、例えば、ハードディスク・ＤＶＤレコーダ１０６や、デジタルビデオレコーダ１０７と、ブロードバンドルータ１０８とが接続され、ブロードバンドルータ１０８は、インターネットを介してウェブサーバ１０９が接続される。更に、無線ＡＶ伝送サーバ（ＡＰ２）１１０は、例えば、地上波（ＴＶ放送）等を受信するＮＡＳ１１１等に接続される。
【００１９】
（動作）
このような構成の無線ＡＶ伝送サーバ（ＡＰ１）１０５と無線ＡＶ伝送アダプタ（ＳＴＡ）１０１との間においては、例えば、ＨＤＤ／ＤＶＤレコーダ１０６からの供給されたコンテンツデータ等が無線ＡＶ伝送サーバ１０６を介して、無線信号で無線ＡＶ伝送アダプタ（ＳＴＡ）１０１に送信されるものである。無線ＡＶ伝送アダプタ（ＳＴＡ）１０１では、無線伝送処理部２１の働きにより例えばＩＥＥＥ８０２．１１のプロトコルに準拠してこの無線信号を受信し、更に、後述する受信バッファ１１を用いて記憶領域に格納し、これをＭＰＥＧデコーダ１５に、順次供給するものである。ＭＰＥＧデコーダ１５でデコードされたコンテンツ信号は、更に、オーディオＤＡコンバータ２６や、ＮＴＳＣエンコーダ２７等に変換処理された後に出力端子を介して出力され、例えば、図３に示すデジタルテレビ１０４等に画面表示されるものである。
【００２０】
＜受信バッファを用いたバッファ処理＞
（バッファ処理）
次に、無線ＡＶ伝送アダプタ（ＳＴＡ）１０１の複数のバッファ領域１２，１３を用いた受信バッファ１４を用いた映像信号の受信処理を、図面を用いて以下に詳細に説明する。図５は、同じく、無線通信装置のバッファ処理の一例を示すフローチャート、図６は、同じく、バッファ処理の他の一例を示すフローチャートである。なお、以下の受信処理は、無線伝送処理部２１を用いた場合で説明しているが、同様に、イーサネット（登録商標）Ｉ／Ｆ部２０やＩＥＥＥ１３９４Ｉ／Ｆ部１８を用いることでも、同様のバッファ処理を行うものである。
【００２１】
本発明の一実施形態である無線通信装置である無線ＡＶ伝送アダプタ（ＳＴＡ）１０１は、図５に示すように、初めに制御部１０の制御に基づいて、無線ＡＶ伝送サーバ（ＡＰ１）１０５と接続を行う（Ｓ１１）。そして、無線ＡＶ伝送サーバ（ＡＰ１）１０５から受け取った映像信号等を、第２バッファ１３に順次、格納する（Ｓ１２）。
【００２２】
ここで、制御部１０の制御により、切換スイッチ部１４が用いられて二つの受信バッファを切り替えることが好適であるが、必ずしも切換スイッチ部１４を用いることなく、例えば、大きな受信バッファを用いて、記憶領域を二分するなどの方法により、複数のバッファ領域を使い分けることでも同等の作用効果を示すことは言うまでもない。
【００２３】
次に、このような受信処理により、第２バッファ１３の記憶領域が一杯になると（Ｓ１５）、映像信号等を今度は第１バッファ１２に格納する（Ｓ１４）。これらの送信処理により、第１バッファ１２と第２バッファ１３とが一杯になると（Ｓ１５）、例えばＭＰＥＧデコーダ１５に第２バッファ１５から映像信号等を供給する（Ｓ１６）。これにより、第２バッファ１５の記憶領域が空になると（Ｓ１７）、定常状態に移行したと判断し、今度は、第１バッファ１２にデータの蓄積を続ける（Ｓ１８）。そして、第１バッファ１２から、例えば、ＭＰＥＧデコーダ１５へ映像情報等の供給を行いながら、映像情報の再生を続行するものである（Ｓ１９）。
【００２４】
これにより、再生処理の開始時に限り、第２バッファ１３を利用することで、ＭＰＥＧデコーダ１５の再生の途切れ等の不具合を解消することができ、更に、後述するように、開放された第２バッファを例えば巻き戻し再生等に利用することが可能となる。
【００２５】
（データ転送量の制御を伴うバッファ処理）
次に、データ転送量の制御を伴うバッファ処理を説明する。図６のフローチャートでは、第２バッファ１３の記憶容量に応じたデータ転送量の制御を行うバッファ処理を示している。
【００２６】
すなわち、本発明の一実施形態である無線通信装置である無線ＡＶ伝送アダプタ（ＳＴＡ）１０１は、図６に示すように、初めに制御部１０の制御に基づいて、無線ＡＶ伝送サーバ（ＡＰ１）１０５と接続を行う（Ｓ１１）。そして、無線ＡＶ伝送サーバ（ＡＰ１）１０５へ、第２バッファ１３の分のみのデータを送れと指示する（Ｓ２１）。そして、無線ＡＶ伝送サーバ（ＡＰ１）１０５から受け取った映像信号等を、第２バッファ１３に順次、格納する（Ｓ１２）。
【００２７】
次に、このような受信処理により、第２バッファ１３の記憶領域が一杯になると（Ｓ１５）、第２バッファの容量分以降のデータを送信せよと、無線ＡＶ伝送サーバ（ＡＰ１）１０５へ、送信指示を行なう（Ｓ２２）。そして、この送信指示に応じて受け取った映像信号等を今度は第１バッファ１２に格納する（Ｓ１４）。これらの送信処理により、第１バッファ１２と第２バッファ１３とが一杯になると（Ｓ１５）、例えばＭＰＥＧデコーダ１５に
第２バッファ１５から映像信号等を供給する（Ｓ１６）。これにより、第２バッファ１５の記憶領域が空になると（Ｓ１７）、定常状態に移行したと判断し、今度は、第１バッファ１２にデータの蓄積を続ける（Ｓ１８）。そして、第１バッファ１２から、例えば、ＭＰＥＧデコーダ１５へ映像情報等の供給を行いながら、映像情報の再生を続行するものである（Ｓ１９）。
【００２８】
これにより、特に、データ転送量を第２バッファの容量に応じて、無線ＡＶ伝送アダプタ１０１から制御することで、より確実な再生開始時の円滑な再生を可能とするものである。
【００２９】
（第２バッファの活用方法）
次に、再生開始時を終えて開放された第２バッファの記憶領域を、他の処理に活用する実施形態を以下に詳細に説明する。すなわち、本発明の一実施形態に係る無線通信装置において、ネットワークを介して供給される映像信号を再生する際に、再生開始時に第２バッファを利用することで、円滑な映像再生を行うことができる。しかしながら、この第２バッファは、映像再生の開始時のみ使用されるものであり、その後の再生時や、他の処理においては開放された状態にあり、この領域を適宜利用して、再生処理等をより円滑に行うことが可能となる。
【００３０】
ここでは、第１バッファ（受信バッファ）１２と第２バッファ（追加バッファ）１３を用いて、連続した１つのリングバッファを形成することが好適である。通常の受信バッファでリングバッファを行う場合は、再生位置（データ出力ポインタ）に受信位置（データ入力ポインタ）が追いつかないように制御することにより、バッファオーバーランを防いでいる。しかし、リングバッファを第１バッファ（受信バッファ）１２と第２バッファ１３とした場合に、再生位置と受信位置とが常に第２バッファ１３のサイズ分だけ離れているように制御する。このような制御を行うことにより、通常の再生中には、常に第２バッファ１３分の古い（既に再生済みの）映像データを確保することが可能となる。
【００３１】
このような再生済みの映像データを第２バッファで確保しておくことで、ユーザの指示に応じて容易に迅速な巻き戻し再生が可能となるものである。
【００３２】
すなわち、従来の受信バッファのみの場合では、古い映像データはすでに破棄されているため、巻き戻し再生の指示を受けた場合には、一度バッファを空にした後に、古い映像データをネットワークを介して再び受信し直す必要がある。このような巻き戻し再生のコマンド発行から、実際に映像が巻き戻し再生となるまでにかなりの時間を必要とするものである。
【００３３】
本発明の一実施形態に係る無線通信装置によれば、再生開始時のみに使用する第２バッファを、その後の再生時に再生済映像信号の格納用に用いることで、巻き戻し再生の際に迅速な巻き戻し再生処理を行うことができるものである。
【００３４】
又、この第２バッファは、もちろん巻き戻し再生用の再生済映像信号の格納以外にも用いることは可能であり、開始時の円滑な再生と共に、更に高品質な再生処理等に寄与させることが可能となる無線通信装置及び無線通信方法を提供するものである。
【００３５】
なお、上記の実施形態では、無線伝送処理部を用いた際に、複数の受信バッファ処理を行っているが、本発明の適用はこれに限るものではなく、ＩＥＥＥ１３９４やイーサネット（登録商標）等の有線通信においても同様の特徴に基づき同等の作用効果を示すものである。
【００３６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００３７】
【図１】本発明の一実施形態に係る無線通信装置の構成の一例を示すブロック図。
【図２】本発明の一実施形態に係る無線通信装置の無線伝送処理部の構成の一例を示すブロック図。
【図３】本発明の一実施形態に係る無線通信装置が使用されるネットワークの一例を示すシステム図。
【図４】本発明の一実施形態に係る無線通信装置の構成の他の一例を示すブロック図。
【図５】本発明の一実施形態に係る無線通信装置のバッファ処理の一例を示すフローチャート。
【図６】本発明の一実施形態に係る無線通信装置のバッファ処理の他の一例を示すフローチャート。
【符号の説明】
【００３８】
ＳＴＡ…無線ＡＶ伝送アダプタ（無線通信装置）、１０…ＣＰＵ、１１…受信バッファ、１２…第１バッファ、１３…第２バッファ、１４…切換スイッチ、１５…ＭＰＥＧデコーダ、１６…ＲＡＭ、１７…コピーライトプロテクション、１８…ＩＥＥＥ１３９４Ｉ／Ｆ部、１９…ＴＴＳ処理部、２０…イーサネット（登録商標）Ｉ／Ｆ部、２１…無線伝送処理部、２２…ＲＡＭ、２３…ＲＯＭ、２６…オーディオＤＡＣ、２７…ＮＴＳＣエンコーダ。
【図１】
2006014177.tif 000003
【図２】
2006014177.tif 000004
【図３】
2006014177.tif 000005
【図４】
2006014177.tif 000006
【図５】
2006014177.tif 000007
【図６】
2006014177.tif 000008